(57)【特許請求の範囲】
【請求項１】
主幹スイッチの負荷側と３本の主幹バーとの間を接続する夫々の接続バーに分岐スイッチへ２次送り配線する送り線を接続するための端子部を設けて成る分電盤において、両端を互いに反対方向に折曲して略クランク状に前記接続バーを形成し、中央の接続バーと両側のうち一方の接続バーは折曲部分に端子ねじを螺合して前記端子部を設け、他方の接続バーは前記中央の接続バーと前記一方の接続バーを挟んで反対側に延びる延設部を形成し、該延設部に端子ねじを螺合して前記端子部を設け、各端子部が正面視で左右方向及び上下方向に重ならないように斜め一列となるようにしたことを特徴とする分電盤。
【発明の詳細な説明】
【０００１】
【発明の属する技術分野】
本発明は、分電盤の主幹スイッチと主幹バーとを接続する接続バーから分岐スイッチに２次送り配線するための構造に関する。
【０００２】
【従来の技術】
従来、図２に示すように分電盤２１は、主幹スイッチ２２の負荷側に３本の接続バー２３，２４，２５の一端が接続され、接続バー２３，２４，２５の他端に主幹バー２６，２７，２８が接続され、主幹バー２６，２７，２８の両側に並設された分岐スイッチ２９が２本の主幹バーに接続されている。この主幹バー２６，２７，２８に接続された分岐スイッチ２９とは別の分岐スイッチ（図示せず）に電気的に接続する場合、送り線３０を用いて接続する。このため、接続バー２３，２４，２５の任意の位置に端子ねじ３４を螺合した端子部３１，３２，３３が設けられ、送り線３０を接続できるようにしていた。
【０００３】
また、図３に示す分電盤４１は夫々の主幹バー４６，４７，４８の一端を略同一寸法延設し、先端に端子ねじ５４を螺合した端子部５１，５２，５３を設けて、送り線５０が接続できるようにしていた。また、図４に示す分電盤６１は主幹バー６６，６７，６８の一端を左側に位置する主幹バーほど長く延設し、先端に端子ねじ７４を螺合した端子部７１，７２，７３を設けて、送り線７０が接続できるようにしていた。
【０００４】
【発明が解決しようとする課題】
従来の図２に示す分電盤２１は夫々の端子部３１，３２，３３が集まって配置されていないため、夫々の端子部３１，３２，３３まで送り線３０を引き回さなければならず、施工性が良くなかった。また、端子部３１，３２，３３の位置によっては送り線３０の引き回しが困難であったり、接続が困難で送り線３０の線径を小さくしなければならず、電流容量が制限される場合があった。また、送り線３０の接続方向がバラバラなので見栄えが悪いという欠点があった。
【０００５】
図３に示す分電盤４１は主幹バー４６，４７，４８を延設するのでコストが上昇し、また、送り線５０の接続方向が一方向に限定されるという欠点があった。図４に示す分電盤６１は送り線７０の接続方向は自由度が増すが、主幹バー６６，６７，６８がより延設されるので箱体の縦寸法が大きくなり更にコストが上昇してしまうという欠点があった。また、送り線７０を接続する際に主幹バー６６，６７，６８が手前や奥行き方向に曲がり、短絡や感電等の事故が発生する虞があった。主幹バー６６，６７，６８が曲がらないようにするためには固定具が必要になり、組み立てに手間が掛かると共にコストが上昇するという欠点があった。
【０００６】
そこで上記問題点に鑑み、本発明の目的は、分岐スイッチへ２次送りするための送り線の接続方向の自由度が高く、接続方向を統一できて見栄えが良く、送り線の電流容量を制限することがなく、分電盤の縦寸法を小さくすることができ、施工性が良好で、コストを低減し、接続箇所を曲がらないようにして短絡や感電等の事故を防止することができる分電盤を提供することである。
【０００７】
【課題を解決するための手段】
上記目的を達成するために、主幹スイッチの負荷側と３本の主幹バーとの間を接続する夫々の接続バーに分岐スイッチへ２次送り配線する送り線を接続するための端子部を設けて成る分電盤において、両端を互いに反対方向に折曲して略クランク状に接続バーを形成し、中央の接続バーと両側のうち一方の接続バーは折曲部分に端子ねじを螺合して端子部を設け、他方の接続バーは中央の接続バーと一方の接続バーを挟んで反対側に延びる延設部を形成し、延設部に端子ねじを螺合して端子部を設け、各端子部が正面視で左右方向及び上下方向に重ならないように斜め一列となるようにしたことを特徴とする。
【０００８】
【発明の実施の形態】
Ｓ相の接続バーとＴ相の接続バーは折曲部分に端子ねじを螺合して端子部を設け、Ｒ相の接続バーはＳ相の接続バーとＴ相の接続バーを挟んで反対側に延びる延設部を形成し、延設部に端子ねじを螺合して端子部を設ける。各端子部は正面視で左右方向及び上下方向に重ならないように斜め一列となるように配置する。
【０００９】
【実施例】
本発明に係る分電盤の一実施例を図１の添付図面に基づいて説明する。
【００１０】
分電盤１は、主幹スイッチ２の負荷側にＲ，Ｓ，Ｔ相の３本の接続バー３，４，５の一端が接続され、他端は互いに絶縁距離を確保して上下方向に平行に配設された主幹バー６，７，８が接続され、主幹バー６，７，８の両側に並設された分岐スイッチ９が２本の主幹バーに接続されている。主幹スイッチ２は分電盤１の左上部分に配置され、主幹バー６，７，８は分電盤１の中央部分に配置され、接続バー３，４，５はクランク状に折曲形成されている。接続バー３，４，５は主幹バー６，７，８に接続された分岐スイッチ９とは別の分岐スイッチ（図示せず）へ２次送り配線するために送り線１０を接続するための端子部１１，１２，１３が設けられる。
【００１１】
右側のＴ相の接続バー５は分電盤１を正面から見て主幹バー８との接続部よりすぐ上の部分で折曲し、その折曲部分にタップ孔を穿設して端子ねじ１４が螺合され、端子部１３が形成されている。
【００１２】
中央のＳ相の接続バー４はＴ相の接続バー５の端子部１３と左右方向及び上下方向に重ならないように、Ｔ相の端子部１３の左上の部分で折曲し、その折曲部分にタップ孔を穿設して端子ねじ１４が螺合され、端子部１２が形成されている。
【００１３】
左側のＲ相の接続バー３は中間部からＳ相の接続バー４とＴ相の接続バー５を挟んで反対側に延びる延設部３ａが形成され、延設部３ａはＳ相の接続バー４の端子部１２及びＴ相の接続バー５の端子部１３と左右方向及び上下方向に重ならないように、Ｓ相の端子部１２の左上の部分まで延設され、先端付近にタップ孔を穿設して端子ねじ１４が螺合され、端子部１１が形成されている。
【００１４】
即ち、Ｒ，Ｓ，Ｔ相の接続バーの端子部１１，１２，１３は、分電盤１を正面から見てＲ，Ｓ，Ｔの端子部の順に右下がりに設けられている。
【００１５】
これによって送り線１０は夫々の端子部の右方向から上方向までの９０゜の範囲で接続することができる。
【００１６】
尚、本実施例において、送り線を接続するための端子部は分電盤を正面から見てＲ，Ｓ，Ｔ相の端子部の順に右下がりに設けたが、これに限定するものではなく、端子部の配置及び接続バーの形状について本発明の趣旨を逸脱しない範囲で適宜変更可能である。
【００１７】
【発明の効果】
以上説明したように主幹スイッチの負荷側と３本の主幹バーとの間を接続する夫々の接続バーに分岐スイッチへ２次送り配線する送り線を接続するための端子部を設けて成る分電盤において、両端を互いに反対方向に折曲して略クランク状に接続バーを形成し、中央の接続バーと両側のうち一方の接続バーは折曲部分に端子ねじを螺合して端子部を設け、他方の接続バーは中央の接続バーと一方の接続バーを挟んで反対側に延びる延設部を形成し、延設部に端子ねじを螺合して端子部を設け、各端子部が正面視で左右方向及び上下方向に重ならないように斜め一列となるようにしたことにより、送り線の接続方向の自由度が高くなり、施工がしやすいので送り線の電流容量を制限することがない。また、端子部同士を近くに集めて配置できるため、接続方向を統一できて見栄えが良くなり、無駄な送り線の引き回しがないので施工性を向上すると共にコストを低減することができる。更に、端子部のうち２つは接続バーを延設せずに設けているので分電盤の縦寸法を小さくすることができ、而も接続箇所が曲がりにくくなるので短絡や感電等の事故を防止することができるという優れた効果がある。
【図面の簡単な説明】
【図１】本発明に係る分電盤の要部正面図である。
【図２】従来の第１の分電盤の要部正面図である。
【図３】従来の第２の分電盤の要部正面図である。
【図４】従来の第３の分電盤の要部正面図である。
【符号の説明】
１…分電盤
２…主幹スイッチ
３〜５…接続バー
３ａ…延設部
６〜８…主幹バー
９…分岐スイッチ
１０…送り線
１１〜１３…端子部
１４…端子ねじ
【図１】
0004758040.tif 000002
【図２】
0004758040.tif 000003
【図３】
0004758040.tif 000004
【図４】
0004758040.tif 000005